(57)【特許請求の範囲】
【請求項１】
実質的に非水のキャリア組成物、及び、アントラピリドン系列の少なくとも１つの塩を含む少なくとも１つの色素を含む、室温にて固体であり且つより高い温度にて液体であるインク組成物であって、有機スルホン酸化合物を含むインク組成物。
【請求項２】
前記有機スルホン酸化合物は、芳香族スルホン酸化合物である、請求項１に記載のインク組成物。
【請求項３】
前記有機スルホン酸化合物は、以下の式：
【化５】
0006374495.tif 000008
を満たし、式中、Ｒは、１から２０の炭素原子を有するアルキル基であり、該アルキル基は、任意で分枝状であり、さらに、任意でヘテロ原子又はヘテロ原子を含有する基と置換される、請求項１又は２に記載のインク組成物。
【請求項４】
前記有機スルホン酸化合物は、パラトルエンスルホン酸及びドデシルベンゼンスルホン酸を含む群から選択されるベンゼンスルホン酸化合物である、請求項１乃至３のいずれか一項に記載のインク組成物。
【請求項５】
前記有機スルホン酸化合物は、全インク組成物に対して０．０１重量％から１０重量％の量で存在する、請求項１乃至４のいずれか一項に記載のインク組成物。
【請求項６】
前記色素は、マゼンタアントラピリドンの塩を含む、請求項１乃至５のいずれか一項に記載のインク組成物。
【請求項７】
前記塩は、少なくとも１つのホスホニウム基及び／又は少なくとも１つのアンモニウム基を含む、請求項１乃至６のいずれか一項に記載のインク組成物。
【請求項８】
前記塩は、トリフェニルメチルホスホニウムブロミド、Ｎ−メチル−Ｎ，Ｎ−ジオクチル−１−オクタンアミニウムクロリド、テトラブチルホスホニウムブロミド、Ｐｒｉｍｅｎｅ（商標）８１−Ｒ、１，３ジ−オ−トリルグアニジン、ブチルトリフェニルホスホニウムクロリド、エチルトリフェニルホスホニウムブロミド、トリブチルオクチルホスホニウム、テトラブチルアンモニウムブロミド、テトラペンチルアンモニウムブロミド及びトリペンチルアミンを含む群から得られるカチオンを含む、請求項１乃至７のいずれか一項に記載のインク組成物。
【請求項９】
前記アントラピリドン系列の塩は、少なくとも１つのスルホン酸基及び／又はその誘導体を含む、請求項１乃至８のいずれか一項に記載のインク組成物。
【請求項１０】
前記塩を調製するためのアントラピリドンは、以下の式：
【化６】
0006374495.tif 000009
によって表され、式中、Ｘは、フェニル、アルキルフェニル及びシクロアルキルフェニルの基を含む群から選択される要素を意味し、Ｙは、フェニル、アルキルフェニル、フェノキシフェニル、クロロフェニル、ブロモフェニル、ジフェニル及びテトラヒドロナフチルのラジカルを含む群から選択される要素を意味し、Ｚは、陽性の対イオンを意味し、さらに、Ｒは、水素、メチル、クロリド、ブロミド、メトキシ又はニトロを含む群から選択される要素である、請求項９に記載のインク組成物。
【請求項１１】
前記色素は、以下の式：
【化７】
0006374495.tif 000010
によって表される塩を含む、請求項１０に記載のインク組成物。
【請求項１２】
前記色素は、以下の式：
【化８】
0006374495.tif 000011
によって表される塩を含む、請求項８に記載のインク組成物。
【請求項１３】
前記有機スルホン酸は、全インク組成物に対して０．０１重量％から１０重量％の量で存在するパラトルエンスルホン酸である、請求項１１又は１２に記載のインク組成物。
【請求項１４】
インク組成物を調製する方法であって、インクは室温にて固体であり且つより高い温度にて液体であり、インクは、実質的に非水のキャリア組成物、及び、アントラピリドン系列の少なくとも１つの塩を含む少なくとも１つの色素、及び、有機スルホン酸化合物を含み、当該方法は：
−  前記非水のキャリア組成物、前記色素及び前記有機スルホン酸化合物を提供するステップと；
−  前記非水のキャリア組成物が融け、さらに、前記色素及び前記有機スルホン酸化合物が前記非水のキャリア組成物において溶けるまで、前記非水のキャリア組成物、前記色素及び前記有機スルホン酸化合物を高い温度まで加熱するステップと；
−  均一な混合物が得られるまで、前記非水のキャリア組成物、前記色素及び前記有機スルホン酸化合物を前記高い温度にて撹拌するステップと；
を含む、方法。
【請求項１５】
−  １００ｎｍから５００ｎｍのポアサイズを有するフィルタで、得られた液体の混合物を濾過するステップ；
をさらに含む、請求項１４に記載の方法。
【発明の詳細な説明】
【技術分野】
【０００１】
本発明は、室温にて固体であり且つより高い温度にて液体であるインク組成物であって、実質的に非水のキャリア組成物と、アントラピリドン系列の少なくとも１つの塩を含む少なくとも１つの色素とを含むインク組成物に関する。
【背景技術】
【０００２】
ホットメルトインクとしても既知のこの種のインク組成物は、特許文献１から知られている。この特許文献は、非水のキャリアと、アントラピリドン系列の少なくとも１つの塩を含む少なくとも１つの色素とを含む、インクジェット印刷装置において適用されることになるホットメルトインクを記載しており、特に、Ｃ．Ｉ．Ａｃｉｄ  Ｒｅｄ１４３及び１４３：１のトリフェニルメチルホスホニウム（ＴＭＰ）塩が、上記特許文献において開示されている。
【０００３】
特許文献１において開示されたインク組成物の欠点は、アルカリ金属イオン及び／又はアルカリ土類金属イオンが、例えば原材料における自然発生により、インク組成物に存在する場合に、そのような金属イオンは、発色団Ｃ．Ｉ．Ａｃｉｄ  Ｒｅｄ１４３及び１４３：１のアルカリ金属塩又はアルカリ土類金属塩としてプリントヘッドのノズルにおいて沈殿し得るということである。その例は、上記の発色団のマグネシウム塩及び／又はカルシウム塩であり、特にそのカルシウム塩である。そのようなノズルでの堆積は、噴射角の欠陥及び印刷品質の問題（例えば、印刷物上の白い筋等）を引き起こし得る。
【０００４】
一般に、上記の欠点は、色素としてアントラピリドン系列の塩を含むホットメルトインク組成物に関し、そのインク組成物に存在する少なくとも１つのアルカリ金属カチオン又はアルカリ土類金属カチオンが、発色団のアニオンとの強い相互作用を、その色素のアニオンと元々結合していたカチオンよりも有する場合に生じる。そのような場合、発色団のアニオンと結合するカチオンのイオン交換が生じ、おそらく上記のようにノズルの堆積が生じる。
【０００５】
特許文献１において開示されたインク組成物の別の欠点は、インク組成物におけるそのような色素の溶解性は低く、インク組成物における所望の濃度レベルの色素にて色素の結晶化をもたらし得るという傾向があるということである。色素の結晶は、フィルタ及びノズルの目詰まりを引き起こし得る。
【０００６】
上記欠点は、特に、マゼンタ色素を含むインク組成物にあてはまる。
【先行技術文献】
【特許文献】
【０００７】
【特許文献１】米国特許第７，９８１，２０３号
【特許文献２】欧州特許第１  ０６７  １５７号
【特許文献３】米国特許第６，６８２，５８７号
【特許文献４】米国特許第６，９３６，０９６号
【発明の概要】
【発明が解決しようとする課題】
【０００８】
従って、上記の欠点を取り除くか又は少なくとも軽減するホットメルトインク組成物を提供することが本発明の目的である。
【課題を解決するための手段】
【０００９】
この目的を達成するために、有機スルホン酸化合物を含む前文に従ったインク組成物が発明された。
【００１０】
アントラピリドンの塩は、色指数（Ｃ．Ｉ．）から知られるアントラピリドン色素の化学修飾とみなされる。例えば、インク組成物の塩は、既知のアントラピリドン色素のアニオン、及び、アニオンに結合して色流れに対抗する適したカチオンを含む。これに関連して、実質的に非水のキャリアは、（溶媒として作用する）水に実質的には基づいていないキャリアを意味するということが述べられる。非水のキャリアは、好ましくは１５重量パーセント未満の水、より好ましくは１０重量パーセント未満の水、さらにより好ましくは５重量パーセント未満の水、最も好ましくは２重量パーセント未満の水を含む。
【発明を実施するための形態】
【００１１】
本発明によるインクを用いて、アントラピリドンの、特にマゼンタアントラピリドンの（誘導体色素として作用する）塩の安定性を改善することができるということが意外にもわかった。この種のインク組成物は、所望の調色レベルにてキャリア組成物において可溶性であり、さらに、ノズルの堆積を形成しない。
【００１２】
いかなる理論にも縛られるものではないけれども、インク組成物において存在するアルカリ金属イオン及び／又はアルカリ土類金属イオンは、スルホン酸に優先的に結合して、スルホン酸塩を形成するということが考えられる。この機構は、アルカリ金属イオン及び／又はアルカリ土類金属イオンが発色団のアニオンに結合するのを防ぐ。従って、アルカリ金属塩及び／又はアルカリ土類金属塩、特に、発色団のカルシウム塩のノズルでの堆積を防ぐか又は少なくとも軽減することができる。
【００１３】
スルホン酸添加物
一実施形態において、有機スルホン酸化合物は、芳香族有機スルホン酸化合物を含む。
【００１４】
一実施形態において、有機スルホン酸化合物は、以下の式：
【化１】
0006374495.tif 000002
を満たし、ここで、Ｒは、１から２０の炭素原子を有するアルキル基であり、アルキル基は、任意で分枝状であり、さらに、任意でヘテロ原子又はヘテロ原子を含有する基と置換される。
【００１５】
一実施形態において、有機スルホン酸化合物は、ベンゼンスルホン酸化合物であり、パラトルエンスルホン酸及びドデシルベンゼンスルホン酸を含む群から選択される。
【００１６】
一実施形態において、有機スルホン酸化合物は、全インク組成物に対して０．０１重量％から１０重量％、好ましくは０．０５重量％から５重量％、より好ましくは０．１重量％から１重量％の量で存在する。
【００１７】
本発明によるインク組成物において色素として使用される発色団の塩
一実施形態において、発色団の塩は、少なくとも１つのホスホニウム基及び／又は少なくとも１つのアンモニウム基を含む。１つ又は複数のホスホニウム基及び／又は１つ又は複数のアンモニウム基の適用は、これらの基が塩に比較的良い熱安定性を提供することになるため有利であると考慮される。ホスホニウム基及び／又はアンモニウム基は、一般に、アニオンのアントラピリドンに結合する塩のカチオンに含まれることになる。さらに、ホスホニウム塩の使用は、一般に、観察可能なにおいの放出をもたらすことはない。
【００１８】
一実施形態において、塩は、トリフェニルメチルホスホニウムブロミド、Ｎ−メチル−Ｎ，Ｎ−ジオクチル−１−オクタンアミニウムクロリド、テトラブチルホスホニウムブロミド、Ｐｒｉｍｅｎｅ（商標）８１−Ｒ（Ｒｏｈｍ  ａｎｄ  Ｈａａｓ，ＵＳＡにて入手可能な一級脂肪族アミン）、１，３ジ−オ−トリルグアニジン、ブチルトリフェニルホスホニウムクロリド、エチルトリフェニルホスホニウムブロミド、トリブチルオクチルホスホニウムブロミド、テトラブチルアンモニウムブロミド、テトラペンチルアンモニウムブロミド及びトリペンチルアミンを含む群から得られるカチオンを含む。
【００１９】
Ａｌｄｒｉｃｈから入手可能なカチオンのトリフェニルメチルホスホニウム（ＴＭＰ）ブロミドとアントラピリドンとの化学反応を強制することは有利であるということがさらにわかった。この反応は、一般に、比較的高い産生量を有することになる。さらに、この反応は、比較的容易に開始することができる。アントラピリドン分子と少なくとも１つのトリフェニルメチルホスホニウムブロミド分子との反応の間、（例えばＮａ＋イオン又はＨ＋イオン等、使用されるアントラピリドンのタイプに応じて）少なくとも１つのイオンが、アントラピリドン分子から除去されることになり、さらに、臭化物イオン（Ｂｒ−）が、各トリフェニルメチルホスホニウムブロミド分子から除去されることになる。このようにして得られる塩は、アニオンのアントラピリドン及びカチオンのトリフェニルメチルホスホニウム（ＴＭＰ）を含む。
【００２０】
一実施形態において、さらに、塩の形成を促進するために、（塩を形成する出発物質として使用される）アントラピリドンは、少なくとも１つのスルホン酸基及び／又はその誘導体を含む。スルホン酸基及びその誘導体は、一般に、比較的反応性であり、アントラピリドンの化学修飾をかなり促進する。さらに、１つ又は複数のスルホン酸基及びその誘導体の適用は、一般に、比較的熱安定の色素をもたらすことになる。
【００２１】
一実施形態において、本発明によるインク組成物に対して有色塩を調製するためのアントラピリドンは、以下の式２：
【化２】
0006374495.tif 000003
によって表すことができ、ここで、Ｘは、フェニル、アルキルフェニル及びシクロアルキルフェニルの基を含む群から選択される要素を意味し、Ｙは、フェニル、アルキルフェニル、フェノキシフェニル、クロロフェニル、ブロモフェニル、ジフェニル及びテトラヒドロナフチルのラジカルを含む群から選択される要素を意味し、さらに、Ｒは、水素、メチル、クロリド、ブロミド、メトキシ又はニトロを含む群から選択される要素である。有色塩を調製するためにそのようなアントラピリドン分子を使用することの利点は、得られることになる塩が、一般に、比較的良い且つ耐久性のあるカラーレジスタンス（ｃｏｌｏｒ−ｒｅｓｉｓｔａｎｃｅ）を有することになるということである。
【００２２】
一実施形態において、本発明によるインク組成物の色素は、以下の式３：
【化３】
0006374495.tif 000004
によって表される塩を含む。
【００２３】
上記の塩は、アニオンのマゼンタアントラピリドン、特にＣ．Ｉ．Ａｃｉｄ  Ｒｅｄ  １４３：１、及び、カチオンのＴＭＰを含む。Ｃ．Ｉ．Ａｃｉｄ  Ｒｅｄ  １４３：１は、Ｎｉｐｐｏｎ  Ｋａｙａｋｕ，Ｔｏｋｙｏ，Ｊａｐａｎから入手可能である。この製品は、比較的純であるとして考慮され、実際に全ての分子が、２つのスルホン酸基を含む。
【００２４】
一実施形態において、色素は、以下の式４：
【化４】
0006374495.tif 000005
によって表される塩を含む。
【００２５】
上記の塩は、アニオンのマゼンタアントラピリドン、特にＣ．Ｉ．Ａｃｉｄ  Ｒｅｄ  １４３、及び、カチオンのＴＭＰを含む。Ｃ．Ｉ．Ａｃｉｄ  Ｒｅｄ  １４３は、Ｃｌａｒｉａｎｔ  ＡＧ，Ｂａｓｅｌ，Ｓｗｉｔｚｅｒｌａｎｄから入手可能である。この製品は、Ｃ．Ｉ．Ａｃｉｄ  Ｒｅｄ  １４３：１よりも純ではないとして考慮されるけれども、依然として、満足のいく且つ比較的安定した塩を、この化合物を用いて得ることができる。
【００２６】
別の態様において、本発明は、インク組成物を調製する方法に関し、インクは室温にて固体であり且つより高い温度にて液体であり、インクは、実質的に非水のキャリア組成物、及び、アントラピリドン系列の少なくとも１つの塩を含む少なくとも１つの色素、及び、有機スルホン酸化合物を含み、当該方法は：
−  非水のキャリア組成物、色素及び有機スルホン酸化合物を提供するステップと；
−  非水のキャリア組成物が融け、さらに、色素及び有機スルホン酸化合物が非水のキャリア組成物において溶けるまで、非水のキャリア組成物、色素及び有機スルホン酸化合物を高い温度まで加熱するステップと；
−  均一な混合物が得られるまで、非水のキャリア組成物、色素及び有機スルホン酸化合物を高い温度にて撹拌するステップと；
を含む。
【００２７】
当該方法は、供給業者から得られる原材料を用いて、又は、アントラピリドン系列の少なくとも１つの塩を含む色素を含む現存するホットメルトインク組成物を用いて、融けたインク組成物に有機スルホン酸化合物を添加するステップを有して行うことができる。
【００２８】
一実施形態において、本発明による方法は：
−  １００ｎｍから５００ｎｍ、好ましくは１５０ｎｍから３００ｎｍ、より好ましくは２００ｎｍから２５０ｎｍのポアサイズを有するフィルタで、得られた液体の混合物を濾過するステップ；
をさらに含む。
【００２９】
このさらなるステップで、形成された有機スルホン酸のアルカリ金属塩及び／又はアルカリ土類金属塩、特に有機スルホン酸のカルシウム塩を除去して、ノズルの目詰まりのリスクをさらに減らすことができる。インク組成物において存在する有機スルホン酸のアルカリ金属塩及び／又はアルカリ土類金属塩の小さい粒子は、フィルタ上で層を、すなわちフィルタケーク層を容易に形成し得る。フィルタケーク層は、フィルタ自体として作用し、さらに、フィルタのポアよりも小さいポアを有してもよい。フィルタケークの形成は、従って、インク組成物において存在する有機スルホン酸のアルカリ金属塩及び／又はアルカリ土類金属塩の除去を高める。ホットメルトインクの場合には、濾過ステップは高い温度にて、少なくとも、インクキャリア組成物が融けた状態にある温度にて行われるということが明らかである。しかし、有機スルホン酸の沈殿物は噴出させることができるため、このステップは任意である。
【００３０】
実施例
材料
特に明記しない限り、全ての化学物質をＳｉｇｍａ  Ａｌｄｒｉｃｈから得た。その化学物質は、受け入れたままの状態で使用した。
【００３１】
実施例において使用したＴｏｎｅｒＰｅａｒｌｓ  ＣＷ６００  Ｍａｇｅｎｔａは、Ｏｃｅから得られる。
【００３２】
実験及び測定方法
カルシウム濃度
ホットメルトサンプルにおけるカルシウム濃度を以下のように決定した：
−  ポリプロピレン（ＰＰ）チューブを使用して、２グラムのホットメルト組成物を、（Ｓｉｇｍａ  Ａｌｄｒｉｃｈから得た）６ｍｌのクロロホルムにおいて溶かし、さらに、１ｍｌのＵＨＱ水を添加した；
−  Ｍｕｌｔｉ−ＲＳ６０（ＢｉｏＳａｎ）を使用して、２つの相を２時間混ぜ合わせた；
−  明瞭な相分離に達するまで、Ｈｅｒｍｌｅ  Ｚ３２３遠心分離機（５０００ｒｐｍ）を使用して、チューブを５分間遠心分離した；
−  ピペットを使用して水相を分離し、さらに、１．５ｍｌのポリプロピレンバイアルにおいて保管した。
【００３３】
ＣＧ１２ａプレカラム及びＣＳ１２ａメインカラムを備えたイオンクロマトグラフシステム（ＤｉｏｎｅｘからのＩＣＳ−５０００）を使用して、サンプルを分析した。検出は、電気伝導度検出器を使用して行われる。システムの較正は、Ｄｉｏｎｅｘから入手可能な６陰イオン標準液（６ｃａｔｉｏｎ  ｓｔａｎｄａｒｄ）を使用して実行した。
【００３４】
ＰＴＳＡ濃度
パラトルエンスルホン酸（ＰＴＳＡ）の濃度は、ホットメルト組成物の成分の重さを、それらを混ぜ合わせる前に量ることによって決定される。本発明に関してＰＴＳＡ濃度は、測定されていない。
【００３５】
ドロップサイズ／噴射角／プリンタのテスト
ＣＣＤカメラを含む専用の測定ツールを用いて測定を行った。
【００３６】
プリンタのテストを開始する前に、動作パルス振幅（ａｃｔｕａｔｉｏｎ  ｐｕｌｓｅ  ａｍｐｌｉｔｕｄｅ）を調節することによって６．０ｍ／ｓの液摘速度にプリントヘッドを調整した。
【００３７】
プリンタのテストは、上記のように調整したＯｃｅ  ＣｏｌｏｒＷａｖｅプリントヘッドと共にＯｃｅ  ＣｏｌｏｒＷａｖｅ６００を用いて行った。テストは、ホットメルトインクでプリントヘッドをすすいだ後で開始した。テスト中、プリンタは持続的に印刷していたか、又は、少ない印刷物を０．５〜３時間毎に印刷することによって（プリントヘッドをクールダウンすることなく）待機／省電力の状態であった。
【００３８】
全インク使用量は、１つの色あたり約０．５ｇ／時間であった。
【００３９】
テストの後、各プリントヘッドに対する液摘サイズを、（上記のように）６．０ｍ／ｓに噴射速度を再調整した後で測定した。この速度にて、全ノズルに対する平均液摘サイズ［μｍ］を、重さを量ることによって測定した。
【００４０】
既知の数のインク液摘を射出し、さらに、（予め重さを量った）アルミニウムカップにおいて遮断した。射出したインクを含有するカップの重さを量ることによって、インク液摘の平均重量を計算し、さらに、インク組成物の質量密度を用いて液摘体積を計算した。
【００４１】
Δｄｄｒｏｐｌｅｔ＝（プリンタのテストの開始時の液滴の直径）−（プリンタのテストにおける＃Ｗａｒｍ  Ｏｕｒｓ後の液滴の直径）。
【００４２】
また、噴射角が測定され、さらに、そのプリントヘッドに対する平均が測定される（σｊｅｔ  ａｎｇｌｅ＝プリンタにおける紙輸送方向に垂直な噴射角の標準偏差［°］）。
【００４３】
本発明は、次に、以下の非限定的な実施例を参考にして説明される。
【００４４】
Ｃ．Ｉ．Ａｃｉｄ  Ｒｅｄ  １４３のＴＭＰ塩の調製
２００ｇのＣ．Ｉ．Ａｃｉｄ  Ｒｅｄ  １４３（Ｌａｎａｓｙｎ  Ｒｅｄ  Ｆ−５Ｂという商標名でＣｌａｒｉａｎｔ，Ｂａｓｅｌ，Ｓｗｉｔｚｅｒｌａｎｄから入手可能）を、室温にて約２ｌのミネラル除去した水において溶かした。
【００４５】
４００ｍｌのミネラル除去した水中１３５ｇトリフェニルメチルホスホニウムブロミドの溶液を調製した。
【００４６】
後者の溶液を、撹拌しながらＣ．Ｉ．Ａｃｉｄ  Ｒｅｄ  １４３溶液に液摘で添加した。後に、その混合物に、撹拌しながら２ｌのジクロロメタンを液摘で添加した。次に、その混合物を約１時間そのままにして、満足のいく相分離を達成した。２つの層の相分離が完了した後、上の層（水性層）を除去した。
【００４７】
ジクロロメタン相を、例えば６回等、少なくとも２回、それぞれ約２ｌの水ですすいで、生成された付属的な塩を洗い流した。
【００４８】
ジクロロメタン相の濾過の後、ジクロロメタン相を、４５℃での蒸発によって濃縮した。最終的な溶媒の残りを真空で蒸発させた。当該方法によって形成される生成物は、トリフェニルメチルホスホニウム及びＣ．Ｉ．Ａｃｉｄ  Ｒｅｄ  １４３の塩である。
【００４９】
Ｃ．Ｉ．Ａｃｉｄ  Ｒｅｄ  １４３のカルシウム塩の調製
２００ｇのＣ．Ｉ．Ａｃｉｄ  Ｒｅｄ  １４３（Ｌａｎａｓｙｎ  Ｒｅｄ  Ｆ−５Ｂという商標名でＣｌａｒｉａｎｔ，Ｂａｓｅｌ，Ｓｗｉｔｚｅｒｌａｎｄから入手可能）を、室温にて約２ｌのミネラル除去した水において溶かした。乳酸カルシウム等の適したカルシウム塩を添加することによって、過剰量のＣａ２＋イオンを、得られた混合物に添加した。
【００５０】
次に、その混合物を２４時間撹拌し、さらに、濾過した。残留物を、少なくとも３回水で洗浄した。最後に、得られた塩（カルシウムの発色団の塩）を乾燥した。
【００５１】
比較例Ａ：従来技術によるホットメルトインク
１，４−ジメタノールトランスシクロヘキサンと２モル当量のオルトメチル安息香酸との反応から形成される６５重量％のビス−エステルを含有するキャリア組成物を調製することによって、ホットメルトインク組成物を調製した。Ｃｙｃｌｏ−２Ｔとしても知られるこの化合物は、特許文献２において開示されている（表２、Ｄ、化合物１７）。或いは、６５％の上記化合物を使用する代わりに、特許文献３において記載されている式ＩＩによる６５％の結晶成分を含むインクを調合することができる（例えば、特許文献３の表３に記載されている化合物８等）。
【００５２】
加えて、キャリア組成物は、異なる化合物の混合物である非結晶成分を３５重量％含有した。この非結晶成分は、特許文献４の実施例３において説明されているように得ることができる。
【００５３】
上記のように得られた色素（ＴＭＰ及びＣ．Ｉ．Ａｃｉｄ  Ｒｅｄ  １４３の塩）を、１００ｇのキャリア組成物あたり４ｇの量で添加した。この方法で得られたインクは、普通紙の受け材料に移される場合にいかなる可視の着色剤の移行もほとんど示すことのない輝くマゼンタ色を有しているように思われる。この受け材料が後に、例えば透明なホイル等の別の層でラミネートされる場合でさえも、移されるイメージは、その鮮明さ及び画質を実質的に保持することになる。
【実施例１】
【００５４】
ホットメルトインクのカルシウム含有量
マゼンタのＣｒｙｓｔａｌＰｏｉｎｔトナーカプセル（ｔｏｎｅｒ  ｐｉｌｌ）を、Ｏｃｅから得て、さらに、原材料及び参照材料として実施例１の実験１〜３において使用した。
【００５５】
５０グラムのマゼンタのＣｒｙｓｔａｌＰｏｉｎｔトナーカプセル（Ｏｃｅから取得、すなわち標準トナー）を融かした。上記のように調製した１０００ｐｐｍ（５０ｍｇ）のＣ．Ｉ．Ａｃｉｄ  Ｒｅｄ  １４３のカルシウム塩、及び、ある量の添加物をもしあれば（表１を参照）、融かしたホットメルト組成物に添加した。その混合物を４時間１３０℃にて撹拌し、後に、２００ｎｍナイロンフィルタで濾過した。濾過したトナー組成物におけるカルシウム濃度を測定した。
【００５６】
【表１】
0006374495.tif 000006
Ｏｃｅから得られ使用した標準のマゼンタのＣｒｙｓｔａｌＰｏｉｎｔトナーパールは、約０．３ｐｐｍのカルシウムを含有している。１０００ｐｐｍのＣ．Ｉ．Ａｃｉｄ  Ｒｅｄ  １４３のカルシウム塩を添加することによって、カルシウムが、２５から５０ｐｐｍの量で添加される。表１は、ホットメルトインク組成物の濾過の後で、１４．３ｐｐｍのカルシウムがインク組成物において残っているということを示している（実験１）。
【００５７】
表１は、４−ドデシルベンゼンスルホン酸を使用することによって（実験３）、カルシウムの除去は、添加物を使用していない場合と同位であるということも示している。しかし、ノズルにおける発色団のカルシウム塩の沈殿物の形成のリスクが有意に減らされる方法で、使用した添加物はカルシウムイオンに優先的に結合するため、これらの実施例によるインク組成物は、依然として、本発明に従った実施例である。
【００５８】
最後に、表１は、ＰＴＳＡ一水和物を添加することによって、ほとんど全てのカルシウムを濾過後にホットメルトインク組成物から除去することができるということを示している。これは、おそらく、上記のように細かいポアのフィルタを形成するフィルタケークの形成によるものである。
【００５９】
ホットメルトインク組成物におけるカルシウム濃度の減少のため、Ｃ．Ｉ．Ａｃｉｄ  Ｒｅｄ  １４３発色団の溶解性は増し、これは、メルトマイクロスコープ（ｍｅｌｔ  ｍｉｃｒｏｓｃｏｐｅ）下での結晶化作用の目視検査によって確認される。
【００６０】
発色団の結晶化は減少したため、フィルタ及びノズルの目詰まりのリスクは有意に減らされた。
【実施例２】
【００６１】
本発明に従ったホットメルトインク組成物におけるＰＴＳＡの濃度の関数としての噴射安定性
５００グラムのマゼンタのＣｒｙｓｔａｌＰｏｉｎｔトナーカプセル（Ｏｃｅから取得、すなわち標準トナー）を融かした。ある量のＰＴＳＡ一水和物（表２における実験４〜７を参照）を、融けたホットメルト組成物に添加した。その混合物を１時間１３０℃にて撹拌し、さらに、トナーカプセルを、適した鋳型を用いて作製した。上記の測定方法に従って測定したトナー組成物におけるカルシウム濃度は、全てのケース（実験４〜７）において１ｐｐｍであった。
【００６２】
上記の方法に従って、プリンタのテストを２９０時間行った。その後、プリントヘッドの全ノズル中のドロップサイズの変化（Δｄｄｒｏｐｌｅｔ）及び噴射角の変動（σｊｅｔｔｉｎｇ  ａｎｇｌｅ）を上記のように決定した。表２は、ＰＴＳＡ濃度が増すと、ドロップサイズの変化及び噴射角の変化は小さくなり、より安定した噴射作用を示すということを示している。
【００６３】
【表２】
0006374495.tif 000007
いかなる理論にも縛られるものではないけれども、カルシウムイオンは、ＰＴＳＡに優先的に結合して、カルシウムパラトルエンスルホン酸を形成するということが信じられる。これは、安定した噴射作用を損ない得るノズルにおけるＣ．Ｉ．Ａｃｉｄ  Ｒｅｄ  １４３アニオンのカルシウム沈殿物の形成を防ぐ。表２は、ＰＴＳＡの濃度が増すと、ドロップサイズ及び噴射角の変化はより少なくなり、より安定した噴射作用を示すということを示している。この特定の実施例において、０．１重量％のＰＴＳＡ一水和物の濃度（すなわち実験７）にて、２９０時間の噴射の後でドロップサイズの変化はなく、さらに、噴射角の標準偏差は非常に小さく、２９０時間の噴射後、プリントヘッドは、実験７によるインク組成物を用いて安定した噴射作用を依然として示すということを示していると結論づけられる。